(57)【要約】【課題】保冷剤の冷却や蓄熱剤の加熱を簡単に行うことが可能な携帯型小物入れを提供する。【解決手段】小物を収納可能な袋部２の少なくとも一部の中に、熱媒体１３（保冷剤または蓄熱剤）が充填されている。【選択図】  図３
0003174797.tif 000002
【実用新案登録請求の範囲】
【請求項１】
小物を収納可能な袋部分の少なくとも一部の中に、保冷剤または蓄熱剤が充填されていることを特徴とする携帯型小物入れ。
【請求項２】
請求項１記載の携帯型小物入れにおいて、前記袋部分は、袋表面を形成するプラスチック材料製の表側シート部と、袋裏面を形成するプラスチック製の裏側シート部とを備え、
前記保冷剤または蓄熱剤は、前記表側シート部と裏側シート部とのうち少なくともいずれか一方に設けられていることを特徴とする携帯型小物入れ。
【請求項３】
請求項１記載の携帯型小物入れにおいて、前記袋部分は、袋表面と袋裏面とを形成する外袋と、この外袋の中に設けられた仕切部材とによって構成され、
前記保冷剤または蓄熱剤は、前記仕切部材に設けられていることを特徴とする携帯型小物入れ。
【請求項４】
請求項１記載の携帯型小物入れにおいて、前記袋部分の少なくとも一部は透明なプラスチック材料によって形成され、
前記保冷剤または蓄熱剤は、予め定めた色を有し、かつ前記透明なプラスチック材料からなる部分の中に予め定めた形状に形成されていることを特徴とする携帯型小物入れ。
【請求項５】
請求項１ないし請求項４のうちいずれか一つに記載の携帯型小物入れにおいて、前記袋部分の出し入れ口にはスライド式ジッパーが設けられていることを特徴とする携帯型小物入れ。
【請求項６】
請求項１ないし請求項４のうちいずれか一つに記載の携帯型小物入れにおいて、前記袋部分は、出し入れ口を塞ぐフラップを備えていることを特徴とする携帯型小物入れ。
【考案の詳細な説明】
【技術分野】
【０００１】
本考案は、保冷剤または蓄熱剤を有する携帯型小物入れに関するものである。
【背景技術】
【０００２】
従来のこの種の携帯型小物入れとしては、例えば特許文献１に記載された化粧品用収納ポーチがある。この収納ポーチは、化粧品を冷やしながら携帯するためのものである。この収納ポーチは、小バッグ状のポーチ本体と、このポーチ本体の内部に収納された保冷剤とを備えている。
【０００３】
前記ポーチ本体は、断熱材によって形成されている。
前記保冷剤は、ポーチ本体とは別体に形成されている。この保冷剤を使用可能な温度まで冷却するためには、ポーチ本体から取り出して例えば冷蔵庫に入れて行う。
【０００４】
一方、長時間にわたって熱を発散させる蓄熱材としては、例えば特許文献２に記載されているようなものが知られている。この蓄熱材は、ポリエチレングリコールを主成分として形成され、電子レンジで加熱することができるものである。
【先行技術文献】
【特許文献】
【０００５】
【特許文献１】実開平３−５８１２１号公報
【特許文献２】特開平７−２５５７６７号公報
【考案の概要】
【考案が解決しようとする課題】
【０００６】
考案者は、上述したような保冷剤や蓄熱剤を備えた小物入れを製造することを考えている。しかし、特許文献１に記載されている収納ポーチでは、保冷剤を所定の温度に冷却するためにポーチ本体からその都度取り出さなければならない。この収納ポーチの保冷剤の代わりに上述した蓄熱剤を使用した場合は、蓄熱剤をその都度収納ポーチから取り出して電子レンジで加熱しなければならない。
このため、上述した収納ポーチの構造を採ると、保冷剤を冷却したり、蓄熱剤を加熱する作業が煩雑になるという問題があった。
【０００７】
本考案はこのような問題を解消するためになされたもので、保冷剤の冷却や蓄熱剤の加熱を簡単に行うことが可能な携帯型小物入れを提供することを目的とする。
【課題を解決するための手段】
【０００８】
この目的を達成するために、本考案に係る携帯型小物入れは、小物を収納可能な袋部分の少なくとも一部の中に、保冷剤または蓄熱剤が充填されていることを特徴とするものである。
【０００９】
本考案は、前記考案において、前記袋部分は、袋表面を形成するプラスチック材料製の表側シート部と、袋裏面を形成するプラスチック製の裏側シート部とを備え、前記保冷剤または蓄熱剤は、前記表側シート部と裏側シート部とのうち少なくともいずれか一方に設けられていることを特徴とする。
【００１０】
本考案は、前記考案において、前記袋部分は、袋表面と袋裏面とを形成する外袋と、この外袋の中に設けられた仕切部材とによって構成され、前記保冷剤または蓄熱剤は、前記仕切部材に設けられていることを特徴とする。
【００１１】
本考案は、前記考案において、前記袋部分の少なくとも一部は透明なプラスチック材料によって形成され、前記保冷剤または蓄熱剤は、予め定めた色を有し、かつ前記透明なプラスチック材料からなる部分の中に予め定めた形状に形成されていることを特徴とする。
【００１２】
本考案は、前記考案において、前記袋部分の出し入れ口にはスライド式ジッパーが設けられていることを特徴とする。
【００１３】
本考案は、前記考案において、前記袋部分は、出し入れ口を塞ぐフラップを備えていることを特徴とする。
【考案の効果】
【００１４】
本考案によれば、袋部分に保冷剤が設けられている場合は、袋部分を例えば冷蔵庫に入れて保冷剤を冷却することができる。袋部分に蓄熱材が設けられている場合は、袋部分を例えば電子レンジに入れて蓄熱材を加熱することができる。
このため、保冷剤や蓄熱剤を袋部分から取外すことなく冷却または加熱を行うことができる。したがって、保冷剤の冷却や蓄熱剤の加熱を簡単に行うことが可能な携帯型小物入れを提供することができる。
【図面の簡単な説明】
【００１５】
【図１】本考案の第１の実施の形態による携帯型小物入れの正面図である。
【図２】本考案の第１の実施の形態による携帯型小物入れの側面図である。同図は、出し入れ口を開いた状態で描いてある。
【図３】図１におけるIII−III線断面図である。同図は、出し入れ口を開いた状態で描いてある。
【図４】本考案の第１の実施の形態による携帯型小物入れの斜視図である。同図は、出し入れ口を開いた状態で描いてある。
【図５】本考案の第２の実施の形態による携帯型小物入れの正面図である。
【図６】図５におけるVI−VI線断面図である。同図は、出し入れ口を開いた状態で描いてある。
【図７】本考案の第３の実施の形態による携帯型小物入れの正面図である。
【図８】図７におけるVIII−VIII線断面図である。同図は、出し入れ口を開いた状態で描いてある。
【図９】本考案の第４の実施の形態による携帯型小物入れの正面図である。
【図１０】図９におけるX−X線断面図である。同図は、出し入れ口を開いた状態で描いてある。
【図１１】本考案の第５の実施の形態による携帯型小物入れの正面図である。
【考案を実施するための形態】
【００１６】
（第１の実施の形態）
以下、本考案に係る携帯型小物入れの一実施の形態を図１〜図８によって詳細に説明する。
図１に示す携帯型小物入れ１は、使用者（図示せず）が片手で把持できる大きさの袋状に形成されたものである。
【００１７】
この小物入れ１は、小物（図示せず）を収納可能な大きさに形成された袋部２と、この袋部２の出し入れ口３（図４参照）に設けられたスライド式ジッパー４とを備えている。前記小物としては、図示してはいないが、例えばハンカチや化粧品などが挙げられる。この実施の形態においては、前記袋部２によって、本考案でいう「袋部分」が構成されている。
【００１８】
この実施の形態による前記袋部２は、図２および図３に示すように、袋表面２ａを形成する表側シート部５と、袋裏面２ｂを形成する裏側シート部６とによって構成されている。表側シート部５と、裏側シート部６とは、それぞれ透明なプラスチック製のシートを用いて形成されている。表側シート部５は、図３に示すように、主シート１１と、この主シート１１の裏面（袋部内側の面）にヒートシール法によって融着された副シート１２と、これら両シート１１，１２どうしの間に充填された保冷剤または蓄熱剤からなる熱媒体１３とによって構成されている。このため、この実施の形態による携帯型小物入れ１は、袋部２の一部（表側シート部５）の中に保冷剤または蓄熱剤が充填されていることになる。
【００１９】
前記主シート１１は、図１に示すように、正面視において四角形状に形成されている。
前記裏側シート部６は、前記主シート１１と同形状の１枚のシート１４によって形成されている。表側シート部５の主シート１１と裏側シート部６のシート１４とは、図１に示すように、前記出し入れ口３となる上辺を除く３辺どうしがヒートシール法によって互いに融着されている。
【００２０】
ヒートシール法とは、高温の金属体（図示せず）で前記両シート１１，１４を挟み、金属体の熱で両シート１１，１４を溶融させて互いに接着する方法である。図１においては、融着部分にハッチングが施してある。袋部２を形成する方法は、２枚のシートを融着させて形成する方法に限定されることはなく、適宜変更することができる。例えば、袋部２は、細長いシートを長手方向の中央部で折り返し、両側部を互いに融着させて形成してもよい。
【００２１】
前記副シート１２を前記主シート１１にヒートシール法によって融着するための金属体は、融着部分の形状が特徴的となるように、特別な形状に形成されている。図１に示す携帯型小物入れ１は、動物の頭部の輪郭に相当する形状の前記金属体を用いて主シート１１と副シート１２とを融着している。前記主シート１１は透明な材料で形成されているから、熱媒体１３は、前記主シート１１を透かして袋部２の外から見ることが可能である。この実施の形態による熱媒体１３は、動物の頭部を連想する形状に見える。
【００２２】
前記熱媒体１３とする保冷剤は、例えば高吸水性ポリマーによって形成されたものを用いることができる。また、この保冷剤としては、例えば透明の青に着色されたものを用いることができる。
前記熱媒体１３とする蓄熱剤は、例えばポリエチレングリコールによって形成されたものを用いることができる。この蓄熱剤は、例えば電子レンジ（図示せず）で加熱することが可能なものである。なお、前記熱媒体１３としては、保冷剤の機能と蓄熱剤の機能とを同一の材料で得られるものを用いることができる。
【００２３】
前記スライド式ジッパー４は、移動自在なスライダ４ａを備えており、前記主シート１１と裏側シート部６のシート１４とにそれぞれ融着されている。このスライド式ジッパー４は、前記スライダ４ａを移動させることにより前記出し入れ口３が開く状態と密封される状態とを切り替え可能なものである。
【００２４】
このように構成された携帯型小物入れ１においては、袋部２に熱媒体１３として保冷剤が充填されている場合は、袋部２を例えば冷蔵庫に入れて保冷剤を冷却することができる。袋部２に蓄熱材が充填されている場合は、袋部２を例えば電子レンジに入れて蓄熱材を加熱することができる。
このため、保冷剤や蓄熱剤を袋部２から取外すことなく冷却または加熱を行うことができる。したがって、この実施の形態によれば、保冷剤の冷却や蓄熱剤の加熱を簡単に行うことが可能な携帯型小物入れを提供することができる。
【００２５】
この実施の形態による前記袋部２は、袋表面２ａを形成するプラスチック材料製の表側シート部５と、袋裏面２ｂを形成するプラスチック製の裏側シート部６とによって構成されている。前記熱媒体１３（保冷剤または蓄熱剤）は、前記表側シート部５と裏側シート部６とのうちいずれか一方（表側シート部５）に設けられている。
このため、この実施の形態によれば、袋部２（表側シート部５）を肌に当てることによって、肌を冷やしたり温めたりすることができる。したがって、この実施の形態によれば、収納物を冷却または保温するだけでなく、使用者に清涼感を与えたり、使用者が暖をとることが可能な携帯型小物入れを提供することができる。
【００２６】
この実施の形態による前記袋部２は、透明なプラスチック材料によって形成されている。前記熱媒体１３（保冷剤または蓄熱剤）は、予め定めた色（例えば透明な青）を有し、かつ前記透明なプラスチック材料からなる部分（表側シート部５）の中に予め定めた形状に形成されている。
このため、熱媒体１３（保冷剤または蓄熱剤）を袋部分の外から視認することができる。熱媒体１３（保冷剤または蓄熱剤）は、固有の形状に形成することができるものである。このため、この実施の形態によれば、趣向を凝らした携帯型小物入れを提供することが可能になる。
【００２７】
この実施の形態による前記袋部２の出し入れ口３には、スライド式ジッパー４が設けられている。
このため、スライド式ジッパー４によって前記出し入れ口３を閉じることができるから、袋部２内が密封されて熱媒体１３（保冷剤または蓄熱剤）の効果が持続する時間をより一層長くすることが可能になる。
【００２８】
なお、この実施の形態においては主シート部１１を透明なプラスチック材料によって形成し、熱媒体１３が外から見える例を示したが、本考案に係る携帯型小物入れは、このような限定にとらわれることはない。すなわち、表側シート部５と裏側シート部６とのうち少なくともいずれか一方を着色されたプラスチック材料によって形成することができる。また、表側シート部５を透明なプラスチック材料で形成する場合と、着色されたプラスチック材料で形成する場合とのいずれの場合であっても、主シート１１における前記熱媒体１３と対応する部分の表面（袋表面２ａ）に熱媒体１３と重なるように塗装を施すことができる。この場合、熱媒体１３の輪郭を任意のキャラクターの形状とし、主シート１１の前記表面に前記キャラクターの絵柄を印刷することができる。
【００２９】
（第２の実施の形態）
前記熱媒体は、図５および図６に示すように、表側シート部と裏側シート部とにそれぞれ設けることができる。図５および図６において、前記図１〜図４によって説明したものと同一もしくは同等の部材については、同一符号を付し詳細な説明を適宜省略する。
【００３０】
図５および図６に示す携帯型小物入れ１の表側シート部５は、熱媒体１３が主シート１１の裏面の略全域に触れるように形成されている。また、裏側シート部６は、袋裏面２ｂを形成する主シート２１と、この主シート２１における袋内側の裏面に融着された副シート２２と、これらの主シート２１と副シート２２との間に充填された熱媒体１３とによって構成されている。裏側シート部６の熱媒体１３は、前記表側シート部５の熱媒体１３と同様に、前記主シート２１の裏面の略全域に触れるように設けられている。
【００３１】
すなわち、図５および図６に示す携帯型小物入れ１は、袋部２の全部の中に、熱媒体１３（保冷剤または蓄熱剤）が充填されているものとなる。このように表側シート部５と裏側シート部６との両方に熱媒体１３を設けるにあたっては、表側シート部５に保冷剤を設けた場合は裏側シート部６にも保冷剤を設ける。また、表側シート部５に蓄熱剤を設けた場合は、裏側シート部６にも蓄熱剤を設ける。
このように袋部２の全体に保冷剤または蓄熱剤を設ける構成を採る場合であっても、第１の実施の形態と同等の効果が得られる。
【００３２】
（第３の実施の形態）
袋表面を形成する表側シート部には、図７および図８に示すように、絵柄を印刷することができる。図７および図８において、前記図１〜図６によって説明したものと同一もしくは同等の部材については、同一符号を付し詳細な説明を適宜省略する。
【００３３】
図７および図８に示す袋部２は、１枚のシート２３からなる表側シート部５と、熱媒体１３を有する裏側シート部６とによって構成されている。表側シート部５の表面には、絵柄２４が印刷されている。熱媒体１３は、裏側シート部６の略全域に触れるように設けられている。なお、熱媒体１３は、表側シート部５にも設けることができる。
この実施の形態を採る場合であっても、第１の実施の形態を採る場合と同等の効果が得られる。
（第４の実施の形態）
袋部は図９および図１０に示すように形成することができる。図９および図１０において、前記図１〜図４によって説明したものと同一もしくは同等の部材については、同一符号を付し詳細な説明を適宜省略する。
【００３４】
図９および図１０に示す袋部２は、袋表面２ａと袋裏面２ｂとを形成する外袋３１と、この外袋３１の中に設けられた仕切部材３２とによって構成されている。
外袋３１は、１枚のプラスチック製のシート３３からなる表側シート部５と、１枚のプラスチック製のシート３４からなる裏側シート部６とによって構成されている。表側シート部５のシート３３と、裏側シート部６のシート３４とは、前記仕切部材３２を挟む状態でヒートシールによって互いに融着されている。これらのシート３３，３４は、透明なプラスチック材料で形成してもよいし、不透明なプラスチック材料で形成してもよい。また、これらのシート３３，３４の表面に絵柄を印刷してもよい。
【００３５】
前記仕切部材３２は、２枚のプラスチック製のシート３５，３６の間に熱媒体１３を充填したものである。仕切部材３２のシート３５，３６は、表側シート部５や裏側シート部６のシート３３，３４と略同じ形状に形成されており、熱媒体１３が挟まれる状態でヒートシール法によって互いに融着されている。熱媒体１３は、前記シート３５，３６の略全域に触れるように設けられている。
【００３６】
この実施の形態によれば、熱媒体１３（保冷剤または蓄熱剤）を外袋３１によって外気から遮断することが可能になるから、熱媒体１３（保冷剤または蓄熱剤）の効果を得られる時間が長い携帯型小物入れを提供することができる。
【００３７】
（第５の実施の形態）
袋部は図１１に示すように形成することができる。図１１において、前記図１〜図４によって説明したものと同一もしくは同等の部材については、同一符号を付し詳細な説明を適宜省略する。
【００３８】
図１１に示す袋部２は、出し入れ口３を塞ぐフラップ４１を備えている。このフラップ４１は、裏側シート部６の上端部を表側シート部５側に折り返すことによって形成されている。フラップ４１と表側シート部５とには、フラップ４１が不必要に開くことを防ぐためにホック４２が設けられている。
この実施の形態による表側シート部５および裏側シート部６は、不透明な色に着色されたプラスチック材料によって形成されている。表側シート部５における熱媒体１３と対応する部位の表面（袋表面２ａ）には、熱媒体１３の形状に合わせて動物の頭部の絵柄を印刷することができる。
【００３９】
この実施の形態によれば、フラップ４１によって前記出し入れ口３を閉じることができ、袋部２内が密封状態に近い状態になるから、熱媒体１３（保冷剤または蓄熱剤）の効果が持続する時間をより一層長くすることが可能になる。
【符号の説明】
【００４０】
１…携帯型小物入れ、２…袋部、２ａ…袋表面、２ｂ…袋裏面、３…出し入れ口、４…スライド式ジッパー、５…表側シート部、６…裏側シート部、１３…熱媒体、３１…外袋、３２…仕切部材、４１…フラップ。
【図１】
0003174797.tif 000003
【図２】
0003174797.tif 000004
【図３】
0003174797.tif 000005
【図４】
0003174797.tif 000006
【図５】
0003174797.tif 000007
【図６】
0003174797.tif 000008
【図７】
0003174797.tif 000009
【図８】
0003174797.tif 000010
【図９】
0003174797.tif 000011
【図１０】
0003174797.tif 000012
【図１１】
0003174797.tif 000013